(57)【要約】      （修正有）【課題】容易に設置して不正操作を監視できるようにする。【解決手段】接続異常監視装置１０は、差込プラグ１２ａ、１２ｂとプラグ受けを備え、コンセント４ａからプラグ受け内に設けられた電極端子１１ａ、１１ｂを介して電源プラグ５０ａ、５０ｂの端子間に印加される電圧の正常性を監視することにより電源プラグ５０ａ、５０ｂとコンセント４ａ間の接続状況を監視し、接続異常報知装置２０は、接続異常監視装置１０との通信により電源プラグ５０ａ、５０ｂとコンセント４ａ間の接続状況が異常であることを判定した場合、接続異常を報知する。【選択図】図１
2012175786.tif 000002
【特許請求の範囲】
【請求項１】
給電施設側に設けられたコンセント（４ａ）から受電して、電源プラグ（５０ａ、５０ｂ）を用いて接続される負荷への配電を行うとともに、前記電源プラグ（５０ａ、５０ｂ）と前記コンセント（４ａ）間の接続状況を監視する接続異常監視装置（１０）と、当該接続異常監視装置（１０）の監視結果に基づいて前記電源プラグ（５０ａ、５０ｂ）と前記コンセント（４ａ）間の接続異常を報知する接続異常報知装置（２０）と、を備えた接続異常監視システムであって、
前記接続異常監視装置（１０）は、前記コンセント（４ａ）に接続するための差込プラグ（１２ａ、１２ｂ）と、
前記電源プラグ（５０ａ、５０ｂ）が挿入されるプラグ受け（１１）と、を備え、
前記コンセント（４ａ）から前記プラグ受け（１１）内に設けられた電極端子（１１ａ、１１ｂ）を介して前記電源プラグ（５０ａ、５０ｂ）の端子間に印加される電圧の正常性を監視することにより前記電源プラグ（５０ａ、５０ｂ）と前記コンセント（４ａ）間の接続状況を監視し、
前記接続異常報知装置（２０）は、前記接続異常監視装置（１０）との通信により前記電源プラグ（５０ａ、５０ｂ）と前記コンセント（４ａ）間の接続状況が異常であることを判定した場合、前記電源プラグ（５０ａ、５０ｂ）と前記コンセント（４ａ）間の接続異常を報知することを特徴とする接続異常監視システム。
【請求項２】
前記接続異常監視装置（１０）は、前記コンセント（４ａ）から前記プラグ受け（１１）内に設けられた電極端子（１１ａ、１１ｂ）を介して前記電源プラグ（５０ａ、５０ｂ）の端子間に印加される交流電圧を直流電圧に変換する交流直流変換回路（１３）と、
前記交流直流変換回路（１３）より出力される直流電圧で動作し、前記接続異常報知装置（２０）からの要求に応じて前記電源プラグ（５０ａ、５０ｂ）と前記コンセント（４ａ）間の接続状況が正常であることを示す情報を送信する信号処理手段（１５）と、を備え、
前記接続異常報知装置（２０）は、前記接続異常監視装置（１０）から前記接続状況が正常であることを示す情報が受信されなくなったことを判定した場合、前記電源プラグ（５０ａ、５０ｂ）と前記コンセント（４ａ）間の接続異常を報知することを特徴とする請求項１に記載の接続異常監視システム。
【請求項３】
前記接続異常監視装置（１０）と前記接続異常報知装置（２０）は、前記コンセント（４ａ）に接続された電力線を介して互いに接続されており、
前記接続異常報知装置（２０）は、前記接続異常監視装置（１０）と前記電力線を介した電力線通信を行うことを特徴とする請求項１または２に記載の接続異常監視システム。
【請求項４】
給電施設側に設けられたコンセント（４ａ）から受電して電源プラグ（５０ａ、５０ｂ）を用いて接続される負荷への配電を行うとともに、前記電源プラグ（５０ａ、５０ｂ）と前記コンセント（４ａ）間の接続状況を監視するとともに当該電源プラグ（５０ａ、５０ｂ）と前記コンセント（４ａ）間の接続異常を報知する接続異常監視報知装置（３０）であって、
前記コンセント（４ａ）に接続するための差込プラグ（１２ａ、１２ｂ）と、
前記電源プラグ（５０ａ、５０ｂ）が挿入されるプラグ受け（１１）と、
前記コンセント（４ａ）から前記プラグ受け（１１）内に設けられた電極端子（１１ａ、１１ｂ）を介して前記電源プラグ（５０ａ、５０ｂ）の端子間に印加される電圧の正常性を監視することにより前記電源プラグ（５０ａ、５０ｂ）と前記コンセント（４ａ）間の接続状況を監視する接続状況監視手段と、
前記接続状況監視手段により前記電源プラグ（５０ａ、５０ｂ）の端子間に印加される電圧が異常であることを判定した場合、前記電源プラグ（５０ａ、５０ｂ）と前記コンセント（４ａ）間の接続異常を報知する報知制御手段を、を備えたことを特徴とする接続異常監視報知装置。
【請求項５】
前記差込プラグ（１２ａ、１２ｂ）が前記コンセント（４）に接続されなくなった場合でも、前記電圧判定手段による判定と、前記報知制御手段により報知を可能にするためのバッテリ（３４）を備えたことを特徴とする請求項４に記載の接続異常監視報知装置。
【請求項６】
前記接続状況監視手段は、前記電源プラグ（５０ａ、５０ｂ）の端子間に印加される交流電圧を直流電圧に変換する交流直流変換回路（１３）を備え、
前記交流直流変換回路から出力される直流電圧が規定値未満となったか否かににより前記電源プラグ（５０ａ、５０ｂ）と前記コンセント（４ａ）間の接続状況を監視することを特徴とする請求項４または５に記載の接続異常監視報知装置。
【発明の詳細な説明】
【技術分野】
【０００１】
本発明は、給電施設側に設けられたコンセントから受電して、電源プラグを用いて接続される負荷への配電を行うとともに、電源プラグとコンセント間の接続状況を監視して接続異常を報知する接続異常監視システムおよび接続異常監視報知装置に関するものである。
【背景技術】
【０００２】
従来、プラグイン自動車と充電ステーションとの間を電力線で接続し、プラグイン自動車に搭載された電力線通信部とステーション側に設置された電力線通信部との電力線通信を行うことによってプラグイン自動車への不正操作を検出するようにしたものがある（例えば、特許文献１参照）。
【先行技術文献】
【特許文献】
【０００３】
【特許文献１】特開２０１０−１８２２３９号公報
【発明の概要】
【発明が解決しようとする課題】
【０００４】
しかしながら、上記特許文献１に記載されたシステムは、自動車側とステーション側の双方に電力線通信部を設置する必要があるため、使用できる場所が限られるといった問題がある。
【０００５】
本発明は上記問題に鑑みたもので、容易に設置して不正操作を監視できるようにすることを目的とする。
【課題を解決するための手段】
【０００６】
上記目的を達成するため、請求項１に記載の発明は、給電施設側に設けられたコンセント（４ａ）から受電して、電源プラグ（５０ａ、５０ｂ）を用いて接続される負荷への配電を行うとともに、電源プラグ（５０ａ、５０ｂ）とコンセント（４ａ）間の接続状況を監視する接続異常監視装置（１０）と、当該接続異常監視装置（１０）の監視結果に基づいて電源プラグ（５０ａ、５０ｂ）とコンセント（４ａ）間の接続異常を報知する接続異常報知装置（２０）と、を備えた接続異常監視システムであって、接続異常監視装置（１０）は、コンセント（４ａ）に接続するための差込プラグ（１２ａ、１２ｂ）と、電源プラグ（５０ａ、５０ｂ）が挿入されるプラグ受け（１１）と、を備え、コンセント（４ａ）からプラグ受け（１１）内に設けられた電極端子（１１ａ、１１ｂ）を介して電源プラグ（５０ａ、５０ｂ）の端子間に印加される電圧の正常性を監視することにより電源プラグ（５０ａ、５０ｂ）とコンセント（４ａ）間の接続状況を監視し、接続異常報知装置（２０）は、接続異常監視装置（１０）との通信により電源プラグ（５０ａ、５０ｂ）とコンセント（４ａ）間の接続状況が異常であることを判定した場合、電源プラグ（５０ａ、５０ｂ）とコンセント（４ａ）間の接続異常を報知することを特徴としている。
【０００７】
このような構成によれば、接続異常監視装置（１０）は、コンセント（４ａ）からプラグ受け（１１）内に設けられた電極端子（１１ａ、１１ｂ）を介して電源プラグ（５０ａ、５０ｂ）の端子間に印加される電圧の正常性を監視することにより電源プラグ（５０ａ、５０ｂ）とコンセント（４ａ）間の接続状況を監視し、接続異常報知装置（２０）は、接続異常監視装置（１０）との通信により電源プラグ（５０ａ、５０ｂ）とコンセント（４ａ）間の接続状況が異常であることを判定した場合、電源プラグ（５０ａ、５０ｂ）とコンセント（４ａ）間の接続異常を報知するので、例えば、電源プラグの不正操作を検出するための回路を負荷側に設置する必要もなく、容易に設置して不正操作を監視することができる。
【０００８】
また、請求項２に記載の発明は、接続異常監視装置（１０）は、コンセント（４ａ）からプラグ受け（１１）内に設けられた電極端子（１１ａ、１１ｂ）を介して電源プラグ（５０ａ、５０ｂ）の端子間に印加される交流電圧を直流電圧に変換する交流直流変換回路（１３）と、交流直流変換回路（１３）より出力される直流電圧で動作し、接続異常報知装置（２０）からの要求に応じて電源プラグ（５０ａ、５０ｂ）とコンセント（４ａ）間の接続状況が正常であることを示す情報を送信する信号処理手段（１５）と、を備え、接続異常報知装置（２０）は、接続異常監視装置（１０）から接続状況が正常であることを示す情報が受信されなくなったことを判定した場合、電源プラグ（５０ａ、５０ｂ）とコンセント（４ａ）間の接続異常を報知することを特徴としている。
【０００９】
このような構成によれば、接続異常報知装置（２０）は、接続異常監視装置（１０）から接続状況が正常であることを示す情報が受信されなくなったことを判定した場合、電源プラグ（５０ａ、５０ｂ）とコンセント（４ａ）間の接続異常を報知する。すなわち、接続異常監視装置（１０）がコンセント（４ａ）から取り外され、接続異常監視装置（１０）が受電されなくなっても、電源プラグ（５０ａ、５０ｂ）とコンセント（４ａ）間の接続異常を報知することができる。
【００１０】
また、請求項３に記載の発明は、接続異常監視装置（１０）と接続異常報知装置（２０）は、コンセント（４ａ）に接続された電力線を介して互いに接続されており、接続異常報知装置（２０）は、接続異常監視装置（１０）と電力線を介した電力線通信を行うことを特徴としている。
【００１１】
このような構成によれば、接続異常報知装置（２０）は、接続異常監視装置（１０）と電力線を介した電力線通信を行うので、新たな通信線を配線する必要もなく設置が容易である。
【００１２】
また、上記目的を達成するため、請求項４に記載の発明は、給電施設側に設けられたコンセント（４ａ）から受電して電源プラグ（５０ａ、５０ｂ）を用いて接続される負荷への配電を行うとともに、電源プラグ（５０ａ、５０ｂ）とコンセント（４ａ）間の接続状況を監視するとともに当該電源プラグ（５０ａ、５０ｂ）とコンセント（４ａ）間の接続異常を報知する接続異常監視報知装置（３０）であって、コンセント（４ａ）に接続するための差込プラグ（１２ａ、１２ｂ）と、電源プラグ（５０ａ、５０ｂ）が挿入されるプラグ受け（１１）と、コンセント（４ａ）からプラグ受け（１１）内に設けられた電極端子（１１ａ、１１ｂ）を介して電源プラグ（５０ａ、５０ｂ）の端子間に印加される電圧の正常性を監視することにより電源プラグ（５０ａ、５０ｂ）とコンセント（４ａ）間の接続状況を監視する接続状況監視手段と、接続状況監視手段により電源プラグ（５０ａ、５０ｂ）の端子間に印加される電圧が異常であることを判定した場合、電源プラグ（５０ａ、５０ｂ）とコンセント（４ａ）間の接続異常を報知する報知制御手段を、を備えたことを特徴としている。
【００１３】
このような構成によれば、コンセント（４ａ）からプラグ受け（１１）内に設けられた電極端子（１１ａ、１１ｂ）を介して電源プラグ（５０ａ、５０ｂ）の端子間に印加される電圧の正常性を監視することにより電源プラグ（５０ａ、５０ｂ）とコンセント（４ａ）間の接続状況を監視し、電源プラグ（５０ａ、５０ｂ）の端子間に印加される電圧が異常であることを判定した場合、電源プラグ（５０ａ、５０ｂ）とコンセント（４ａ）間の接続異常を報知するので、例えば、電源プラグの不正操作を検出するための回路を負荷側に設置する必要もなく、容易に設置して不正操作を監視することができる。
【００１４】
また、請求項５に記載の発明は、差込プラグ（１２ａ、１２ｂ）がコンセント（４）に接続されなくなった場合でも、電圧判定手段による判定と、報知制御手段により報知を可能にするためのバッテリを備えたことを特徴としている。
【００１５】
このような構成によれば、差込プラグ（１２ａ、１２ｂ）がコンセント（４）に接続されなくなった場合でも、バッテリ（３４）により、電圧判定手段による判定と、報知制御手段による報知が可能となる。すなわち、差込プラグ（１２ａ、１２ｂ）がコンセント（４）に接続されなくなった場合でも、電源プラグ（５０ａ、５０ｂ）とコンセント（４ａ）間の接続異常を報知することができる。
【００１６】
また、請求項６に記載の発明は、接続状況監視手段は、電源プラグ（５０ａ、５０ｂ）の端子間に印加される交流電圧を直流電圧に変換する交流直流変換回路（１３）を備え、交流直流変換回路から出力される直流電圧が規定値未満となったか否かににより電源プラグ（５０ａ、５０ｂ）とコンセント（４ａ）間の接続状況を監視することを特徴としている。
【００１７】
このように、電源プラグ（５０ａ、５０ｂ）の端子間に印加される交流電圧を直流電圧に変換する交流直流変換回路（１３）を備え、交流直流変換回路から出力される直流電圧が規定値未満となったか否かににより電源プラグ（５０ａ、５０ｂ）とコンセント（４ａ）間の接続状況を監視することもできる。
【００１８】
なお、この欄および特許請求の範囲で記載した各手段の括弧内の符号は、後述する実施形態に記載の具体的手段との対応関係を示すものである。
【図面の簡単な説明】
【００１９】
【図１】本発明の第１実施形態に係る接続異常監視システムの全体構成を示す図である。
【図２】接続異常監視装置の接続例を示す図である。
【図３】接続異常監視装置の信号処理部による情報送信処理のフローチャートである。
【図４】接続異常報知装置の制御部による報知処理のフローチャートである。
【図５】第１実施形態に係る接続異常監視装置の制御部の処理について説明するための図である。
【図６】本発明の第２実施形態に係る接続異常監視報知装置の構成を示す図である。
【図７】第２実施形態に係る接続異常監視報知装置の制御部の処理を示すフローチャートである。
【図８】第２実施形態に係る接続異常監視報知装置の制御部の処理について説明するための図である。
【発明を実施するための形態】
【００２０】
（第１実施形態）
本発明の第１実施形態に係る接続異常監視システムの全体構成を図１に示す。本実施形態に係る接続異常監視システムは、給電施設側に設けられたコンセント４ａから受電して電源プラグ５０ａ、５０ｂを介して接続される電気自動車（負荷）への配電を行うとともに、電源プラグ５０ａ、５０ｂとコンセント４ａ間の接続状況を監視する接続異常監視装置１０と、この接続異常監視装置１０の監視結果に基づいて電源プラグ５０ａ、５０ｂとコンセント４ａ間の接続異常を報知する接続異常報知装置２０により構成されている。
【００２１】
本実施形態における接続異常監視装置１０は、図２に示すように、住宅の外壁に設けられた屋外コンセント４ａに接続されるようになっている。また、接続異常監視装置１０は、プラグ受け１１を有しており、このプラグ受け１１に電源コネクタ５の電源プラグ５０ａ、５０ｂが挿入されるようになっている。
【００２２】
また、接続異常報知装置２０は、居間、寝室等に設置され、住宅内に設けられた屋内コンセント４ｂに接続される。
【００２３】
また、接続異常監視装置１０は、図１に示したように、屋外コンセント４ａに接続するための差込プラグ１２ａ、１２ｂと、ＡＣＤＣアダプタ１３、ＰＬＣ通信機１４および信号処理部１５を備えている。
【００２４】
ＡＣＤＣアダプタ１３は、屋外コンセント４ａからプラグ受け１１内に設けられた電極端子１１ａ、１１ｂを介して電源プラグ５０ａ、５０ｂの端子間に印加される交流電圧を直流電圧に変換する。すなわち、ＡＣＤＣアダプタ１３は、プラグ受け１１内に電源プラグ５０ａ、５０ｂが挿入されたときに、プラグ受け１１内で電源プラグ５０ａと接触する第１の端子と、プラグ受け１１内で電源プラグ５０ｂと接触する第２の端子を有し、第１の端子と第２の端子間に印加される交流電圧を一定の直流電圧に変換する。
【００２５】
ＰＬＣ（Ｐｏｗｅｒ  Ｌｉｎｅ  Ｃｏｍｍｕｎｉｃａｔｉｏｎｓ）通信機１４は、家庭内配線４０を通信回線として利用して通信を行うためのものである。
【００２６】
信号処理部１５は、ＲＡＭ、ＲＯＭ、ＥＥＰＲＯＭ等を備えたコンピュータとして構成されている。信号処理部１５は、ＲＯＭに記憶されたプログラムに従って各種処理を実施する。信号処理部１５は、ＡＣＤＣアダプタ１３より出力される直流電力により動作する。
【００２７】
信号処理部１５は、電源プラグ５０ａ、５０ｂと屋外コンセント４ａ間の接続状況が正常であることを示す情報を周期的に送信する情報送信処理を行う。
【００２８】
接続異常報知装置２０は、屋内コンセント４ｂの接続するための差込プラグ２１ａ、２１ｂと、ＡＣＤＣアダプタ２２、ＰＬＣ通信機２４、制御部２５、開始停止スイッチ２６ａ、報知器２６ｂおよび入力器２６ｃを備えている。
【００２９】
ＡＣＤＣアダプタ２２は、屋内コンセント４ｂから受電される交流電圧を直流電圧に変換する。
【００３０】
ＰＬＣ通信機２４は、家庭内配線４０を通信回線として利用して通信を行うためのものである。
【００３１】
接続異常監視装置１０と接続異常報知装置２０との間は、家庭内配線４０を介して互いに接続されており、接続異常報知装置２０は、家庭内配線４０を介した電力線通信により接続異常監視装置１０と通信するようになっている。
【００３２】
開始停止スイッチ２６ａ、接続異常の監視の開始および停止を指示するためのスイッチである。
【００３３】
報知器２６ｂは、光および音で周囲のユーザに異常を知らせるためのもので、表示部およびブザーにより構成されている。
【００３４】
入力器２６ｃは、後述する暗証番号の入力や、報知を規制するための操作を行うためのもので、数字、記号等を入力するための各種スイッチにより構成されている。
【００３５】
制御部２５は、ＣＰＵ、ＲＡＭ、ＲＯＭ、ＥＥＰＲＯＭ等を備えたコンピュータとして構成されており、ＣＰＵはＲＯＭに記憶されたプログラムに従って各種処理を実施する。
【００３６】
制御部２５の処理としては、接続異常監視装置１０から周期的に送信される正常通知情報が受信されなくなったことを判定した場合、電源プラグ５０ａ、５０ｂとコンセント４ａ間の接続異常を報知器２６ｂから報知させる報知処理がある。
【００３７】
本接続異常監視システムでは、接続異常監視装置１０と接続異常報知装置２０とを家庭内配線４０を介して互いに接続させた状態で、ユーザによる暗証番号の登録設定を行うようになっている。なお、これらの登録設定は、入力器２６ｃを用いて行われる。ユーザ操作によって登録された暗証番号は、制御部２５のＥＥＰＲＯＭに記憶される。
【００３８】
また、接続異常監視装置１０の信号処理部１５のＥＥＰＲＯＭには、接続異常報知装置２０に対して固有に割り当てられている識別情報が記憶されている。
【００３９】
反対に、接続異常報知装置２０の制御部２５のＥＥＰＲＯＭには、接続異常監視装置１０に対して固有に割り当てられている識別情報が記憶されている。
【００４０】
接続異常監視装置１０と接続異常報知装置２０は、それぞれ相手装置から送信されるデータに含まれる識別情報とＥＥＰＲＯＭに記憶された相手装置の識別情報の一致により相手装置の認証を行うようになっている。
【００４１】
図３に、接続異常監視装置１０の信号処理部１５による情報送信処理のフローチャートを示す。接続異常監視装置１０が屋外コンセント４ａに接続され、屋外コンセント４ａからプラグ受け１１内に設けられた電極端子１１ａ、１１ｂを介して電源プラグ５０ａ、５０ｂの端子間に交流電圧が印加され、ＡＣＤＣアダプタ１３の出力電圧が規格範囲内になると、信号処理部１５は図に示す処理を開始する。
【００４２】
まず、要求信号を受信したか否かを判定する（Ｓ２００）。接続異常報知装置２０より、接続異常報知装置２０の識別情報を含む要求信号が周期的に送信されるようになっている。ここでは、接続異常報知装置２０より要求信号を受信したか否かを判定する。
【００４３】
要求信号が受信されない場合、Ｓ２００の判定はＮＯとなり、Ｓ２００の判定を繰り返し実施する。また、要求信号を受信すると、次に、要求信号に含まれる識別情報が、登録された相手の識別情報（ＩＤ）であるか否かを判定する（Ｓ２０２）。
【００４４】
ここで、応答信号に登録された相手の識別情報が含まれない場合、Ｓ２０２の判定はＮＯとなり、Ｓ２００へ戻る。
【００４５】
また、応答信号に登録された相手の識別情報が含まれている場合は、Ｓ２０２の判定はＹＥＳとなり、自己の識別情報を含む応答信号を接続異常報知装置２０へ送信し（Ｓ２０４）、Ｓ１００へ戻る。
【００４６】
このように、接続異常監視装置１０は、接続異常報知装置２０より定期的に送信される要求信号を受信し、要求信号に登録された相手の識別情報が含まれる場合、自己の識別情報を含む応答信号を接続異常報知装置２０へ送信するようになっている。すなわち、ＡＣＤＣアダプタ１３により電源プラグ５０ａ、５０ｂの端子間に印加される交流電圧を直流電圧に変換し、電源プラグ５０ａ、５０ｂの端子間に印加される電圧が正常な場合に、ＡＣＤＣアダプタ１３の出力電圧で動作する信号処理部１５から電源プラグ（５０ａ、５０ｂ）とコンセント（４ａ）間の接続状況が正常であることを示す情報（応答信号）が送信され、電源プラグ（５０ａ、５０ｂ）とコンセント（４ａ）間の接続が未接続となり、電源プラグ５０ａ、５０ｂの端子間に印加される電圧が低下すると、信号処理部１５から応答信号が送信されなくなるようになっている。
【００４７】
図４に、接続異常報知装置２０の制御部２５による報知処理のフローチャートを示す。接続異常報知装置２０が屋内コンセント４ｂに接続され、ユーザの開始停止スイッチ２６ａの操作により接続状態の報知の開始が指示されると、制御部２５は、図３に示す処理を開始する。
【００４８】
まず、要求信号を送信する（Ｓ１００）。具体的には、電力線通信を介して自己の識別情報を含む要求信号を送信する。
【００４９】
次に、一定時間内に応答信号を受信したか否かを判定する（Ｓ１０２）。接続異常監視装置１０により要求信号が受信されると、一定時間内に接続異常監視装置１０から応答信号が送信されるようになっている。ここでは、接続異常監視装置１０からの応答信号を受信したか否かを判定する。
【００５０】
ここで、一定時間内に応答信号を受信すると、Ｓ１０２の判定はＹＥＳとなり、次に、応答信号に含まれる識別情報が、登録された相手の識別情報（ＩＤ）であるか否かを判定する（Ｓ１０４）。
【００５１】
ここで、図５（ａ）に示すように、屋外コンセント４ａからプラグ受け１１内に設けられた電極端子１１ａ、１１ｂを介して電源プラグ５０ａ、５０ｂの端子間に交流電圧が印加され、信号処理部１５が正常に動作しており、登録された相手の識別情報を含む応答信号を受信した場合、Ｓ１０４の判定はＹＥＳとなり、Ｓ１００へ戻る。
【００５２】
しかし、図５（ｂ）に示すように、何者かにより屋外コンセント４ａから差込プラグ１２ａ、１２ｂが外され、電源プラグ５０ａ、５０ｂの端子間電圧が低下し、接続異常監視装置１０から応答信号が送信されなくなると、Ｓ１０２の判定はＮＯとなり、一定時間報知を行う（Ｓ１０６）。具体的には、電源プラグ５０ａ、５０ｂとコンセント４ａとの間の接続が異常であることを通知するための表示を表示部に表示させるとともに、接続異常を通知するための音をブザーより発生させ、Ｓ１００へ戻る。
【００５３】
また、図５（ａ）に示した正常状態から、図５（ｃ）に示すように、何者かにより電源プラグ５０ａ、５０ｂがプラグ受け１１から抜かれ、接続異常監視装置１０から応答信号が送信されなくなった場合にも、Ｓ１０２の判定はＮＯとなり、一定時間報知が行われる（Ｓ１０６）。
【００５４】
また、図５（ａ）に示した正常状態から、図５（ｄ）に示すように、何者かにより屋外コンセント４ａから差込プラグ１２ａ、１２ｂが外され、更に、電源プラグ５０ａ、５０ｂがプラグ受け１１から抜かれた場合も、Ｓ１０２の判定はＮＯとなり、一定時間報知が行われる（Ｓ１０６）。
【００５５】
なお、正規のユーザの操作により電源コネクタ５がプラグ受け１１から抜かれるような場合には、入力器２６ｃから暗証番号を入力し、暗証番号による認証が完了してから一定時間内に開始停止スイッチ２６ａの操作が行われば、報知が行われないようになっている。
【００５６】
上記した構成によれば、接続異常監視装置１０は、コンセント４ａからプラグ受け１１内に設けられた電極端子１１ａ、１１ｂを介して電源プラグ５０ａ、５０ｂの端子間に印加される電圧の正常性を監視することにより電源プラグ５０ａ、５０ｂとコンセント４ａ間の接続状況を監視し、接続異常報知装置２０は、接続異常監視装置１０との通信により電源プラグ５０ａ、５０ｂとコンセント４ａ間の接続状況が異常であることを判定した場合、電源プラグ５０ａ、５０ｂとコンセント４ａ間の接続異常を報知するので、例えば、電源プラグの不正操作を検出するための回路を負荷側に設置する必要もなく、容易に設置して不正操作を監視することができる。
【００５７】
また、接続異常監視装置１０を別のコンセントに取り付けて使用することも容易にでき、また、どのような負荷を接続しても不正操作を検出することができるので利便性が高い。
【００５８】
また、接続異常報知装置２０は、接続異常監視装置１０から接続状況が正常であることを示す情報が受信されなくなったことを判定した場合、電源プラグ５０ａ、５０ｂとコンセント４ａ間の接続異常を報知する。すなわち、接続異常監視装置１０がコンセント４ａから取り外され、接続異常監視装置１０が受電されなくなっても、電源プラグ５０ａ、５０ｂとコンセント４ａ間の接続異常を報知することができる。
【００５９】
また、接続異常報知装置２０は、接続異常監視装置１０と電力線を介した電力線通信を行うので、新たな通信線を配線する必要もなく設置が容易である。
【００６０】
（第２実施形態）
本発明の第２実施形態に係る接続異常監視報知装置の構成を図６に示す。上記第１実施形態では、接続異常監視装置１０と接続異常報知装置２０により接続異常監視システムを構成したが、本実施形態では、接続異常監視報知装置３０により電源プラグ５０ａ、５０ｂとコンセント４ａ間の接続状況の監視および報知を行う。なお、上記第１実施形態と同一部部分には同一符号を付して説明を省略し、以下、異なる部分を中心に説明する。
【００６１】
本接続異常監視報知装置３０は、図２に示したように、住宅の外壁に設けられた屋外コンセント４ａに接続されるようになっている。
【００６２】
接続異常監視報知装置３０は、差込プラグ１２ａ、１２ｂ、プラグ受け１１、ＡＣＤＣアダプタ１３、バッテリ３４、開始停止スイッチ２６ａ、報知器２６ｂ、入力器２６ｃ、制御部２５を備えている。
【００６３】
バッテリ３４は、差込プラグ１２ａ、１２ｂが屋外コンセント４ａから外された場合でも、制御部１５が、屋外コンセント４ａからプラグ受け１１内に設けられた電極端子１１ａ、１１ｂを介して電源プラグ５０ａ、５０ｂの端子間に印加される電圧が規定値未満か否かを判定し、報知器２６ｂを介して報知を行うことを可能にするために設けられている。
【００６４】
本実施形態におけるバッテリ３４は、繰り返し充電することが可能な充電式バッテリにより構成されている。ただし、バッテリ３４は、充電することのできない電池を用いて構成することもできる。
【００６５】
図７に、本実施形態に係る接続異常監視報知装置３０の制御部１５のフローチャートを示す。差込プラグ１２ａ、１２ｂが屋外コンセント４ａに接続され、プラグ受け１１に電源プラグ５０ａ、５０ｂが挿入され、屋外コンセント４ａからプラグ受け１１内に設けられた電極端子１１ａ、１１ｂを介して電源プラグ５０ａ、５０ｂの端子間に交流電圧が印加され、ＡＣＤＣアダプタ１３の出力電圧が規格範囲内になると、制御部１５は、図に示す処理を開始する。
【００６６】
まず、電力供給があるか否かを判定する（Ｓ３００）。具体的には、ＡＣＤＣアダプタ１３の出力電圧が閾値以上か否かに基づいて電力供給があるか否かを判定する。
【００６７】
ここで、図８（ａ）に示すように、屋外コンセント４ａからプラグ受け１１内に設けられた電極端子１１ａ、１１ｂを介して電源プラグ５０ａ、５０ｂの端子間に交流電圧が印加され、ＡＣＤＣアダプタ１３の出力電圧が閾値以上になっている場合、Ｓ３００の判定はＹＥＳとなり、次に、開始停止スイッチ２６ａの操作により電源オフの操作が行われたか否かを判定する（Ｓ３０２）。
【００６８】
ここで、電源オフの操作が行われていない場合、Ｓ３０２の判定はＮＯと成り、Ｓ３００へ戻る。
【００６９】
また、図８（ｂ）に示すように、何者かにより屋外コンセント４ａから差込プラグ１２ａ、１２ｂが外され、電源プラグ５０ａ、５０ｂの端子間電圧が閾値未満になると、Ｓ３００の判定はＮＯとなり、一定時間報知を行う（Ｓ３０４）。具体的には、電源プラグ５０ａ、５０ｂとコンセント４ａとの間の接続が異常であることを通知するための表示を表示部に表示させるとともに、接続異常を通知するための音をブザーより発生させ、Ｓ１００へ戻る。
【００７０】
また、図８（ａ）に示した正常状態から、図８（ｃ）に示すように、何者かにより電源プラグ５０ａ、５０ｂがプラグ受け１１から抜かれ、電源プラグ５０ａ、５０ｂの端子間電圧が閾値未満になった場合にも、Ｓ３００の判定はＮＯとなり、一定時間報知が行われる（Ｓ３０４）。
【００７１】
また、図８（ａ）に示した正常状態から、図８（ｄ）に示すように、何者かにより屋外コンセント４ａから差込プラグ１２ａ、１２ｂが外され、更に、電源プラグ５０ａ、５０ｂがプラグ受け１１から抜かれた場合も、Ｓ３００の判定はＮＯとなり、一定時間報知が行われる（Ｓ３０４）。
【００７２】
上記した構成によれば、コンセント４ａからプラグ受け１１内に設けられた電極端子１１ａ、１１ｂを介して電源プラグ５０ａ、５０ｂの端子間に印加される電圧の正常性を監視することにより電源プラグ５０ａ、５０ｂとコンセント４ａ間の接続状況を監視し、電源プラグ５０ａ、５０ｂの端子間に印加される電圧が異常であることを判定した場合、電源プラグ５０ａ、５０ｂとコンセント４ａ間の接続異常を報知するので、例えば、電源プラグの不正操作を検出するための回路を負荷側に設置する必要もなく、容易に設置して不正操作を監視することができる。
【００７３】
また、差込プラグ１２ａ、１２ｂがコンセント４に接続されなくなった場合でも、バッテリ３４により、電圧判定手段による判定と、報知制御手段による報知が可能となる。すなわち、差込プラグ１２ａ、１２ｂがコンセント４に接続されなくなった場合でも、電源プラグ５０ａ、５０ｂとコンセント４ａ間の接続異常を報知することができる。
【００７４】
また、電源プラグ５０ａ、５０ｂの端子間に印加される交流電圧を直流電圧に変換する交流直流変換回路１３を備え、交流直流変換回路から出力される直流電圧が規定値未満となったか否かににより電源プラグ５０ａ、５０ｂとコンセント４ａ間の接続状況を監視することもできる。
【００７５】
なお、本発明は上記実施形態に限定されるものではなく、本発明の趣旨に基づいて種々なる形態で実施することができる。
【００７６】
例えば、上記第１実施形態において、接続異常監視装置１０と接続異常報知装置２０との間で電力線を介した電力線通信を行う構成を示したが、電力線通信に限定されるものではなく、例えば、無線通信を行う構成としてもよい。
【００７７】
また、上記第１、第２実施形態では、それぞれ接続異常監視装置１０、接続異常監視報知装置３０を屋外コンセント４ａに接続する例を示したが、屋外コンセント４ａに接続されるものとして限定されるものではない。
【００７８】
また、上記第１、第２実施形態では、それぞれ接続異常監視装置１０、接続異常監視報知装置３０をコンセント４ａに接続する構成を示したが、例えば、コンセントに内蔵するように構成してもよい。
【００７９】
また、上記第１、第２実施形態では、ＡＣＤＣアダプタ１３、２２を用いて交流電圧を直流電圧に変換し、電源プラグ５０ａ、５０ｂの端子間に印加される電圧の正常性を監視するように構成したが、必ずしも交流電圧を直流電圧に変換する必要はなく、例えば、交流電圧で動作する負荷の動作状態を監視することによって電源プラグ５０ａ、５０ｂの端子間に印加される電圧の正常性を監視するように構成してもよい。
【符号の説明】
【００８０】
４ａ、４ｂ      コンセント
５０ａ、５０ｂ  電源アダプタ
１０            接続異常監視装置
１１ａ、１１ｂ  電極端子
１２ａ、１２ｂ  差込プラグ
１３、１３      ＡＣＤＣアダプタ
１４、２４      ＰＬＣ通信機
１５            信号処理部
２０            接続異常報知装置
２１ａ、２１ｂ  差込プラグ
２５            制御部
２６ａ          開始停止スイッチ
２６ｂ          報知器
２６ｃ          入力器
４０            屋内配線
【図１】
2012175786.tif 000003
【図２】
2012175786.tif 000004
【図３】
2012175786.tif 000005
【図４】
2012175786.tif 000006
【図５】
2012175786.tif 000007
【図６】
2012175786.tif 000008
【図７】
2012175786.tif 000009
【図８】
2012175786.tif 000010